(57)【要約】【課題】ベッドの付属品の固定機構において、軽い操作力で十分な固定力を発生させることができ、ロック状態とロック解除の状態が判別しやすいものとすること。【解決手段】  ベッドの付属品取付穴に装着して用いる付属品の固定機構において、基部パイプの下面に固定脚とロック脚を設けるに、前記固定脚は基部パイプに固着する一方、前記ロック脚は基部パイプに止着した支持部材にロック脚の中間部を軸着するとともに、該軸着部の固定脚側上方にほぼＬ字状のレバー部材を回動自在に軸着して該レバー部材の上方回動により前記ロック脚の上部を押圧し該ロック脚の下部が固定脚側に回動する構成とし、さらに前記固定脚のロック脚側上部には空孔部を設け、前記レバー部材の端部にスプリングを介装して挿通した解除ツマミの突部が枢支されるよう構成するとともに、前記レバー部材の上下回動を案内するようにほぼＵ字状のカバー部材を前記固定脚に固着して構成した。【選択図】図１
2010201030.tif 000002
【特許請求の範囲】
【請求項１】
ベッドの付属品取付穴に装着して用いる付属品の固定機構において、基部パイプの下面に固定脚とロック脚を設けるに、前記固定脚は基部パイプに固着する一方、前記ロック脚は基部パイプに止着した支持部材にロック脚の中間部を軸着するとともに、該軸着部の固定脚側上方にほぼＬ字状のレバー部材を回動自在に軸着して該レバー部材の上方回動により前記ロック脚の上部を押圧し該ロック脚の下部が固定脚側に回動する構成とし、さらに前記固定脚のロック脚側上部には空孔部を設け、前記レバー部材の端部にスプリングを介装して挿通した解除ツマミの突部が枢支されるよう構成するとともに、前記レバー部材の上下回動を案内するようにほぼＵ字状のカバー部材を前記固定脚に固着して構成したことを特徴とするベッドの付属品の固定機構。
【請求項２】
上記ロック脚を付属品取付穴よりわずかに小さい小径軸部と先細のテーパー部を一体的に設けて構成したことを特徴とする請求項１に記載のベッドの付属品の固定機構。
【発明の詳細な説明】
【技術分野】
【０００１】
本発明は、ベッドに設けられた付属品取付穴などに装着するサイドレールなどの付属品を固定するための固定機構に関するものです。
【背景技術】
【０００２】
従来より、病人や老人など身体の不自由な人が使用するベッドには、就寝時や療養時の転落、または布団などの落下を防止するために、ベッドの側部にサイドレールなどを設けておくことが多い。また、起き上がり時に手掛かりとして利用するために、介助グリップを設けておくことも多い。
【０００３】
この種のサイドレールや介助グリップは、その脚部をベッドの側部に設けられているサイドフレームに設けた付属品取付穴に嵌合することにより、ベッドに取り付けるようになっているものが多い。しかしながら、起き上がり時などに手掛かりとする場合、ベッドのサイドフレームに設けた取付穴に脚部を嵌合するだけで取り付けるのは、着脱には便利であるが使用上不安定であるという問題点があった。
【０００４】
そのため、嵌合した脚部をボルトなどで締め付けて固定するものがあります（例えば、特許文献１，２参照）。
また、レバー操作によって脚部を回動させたりするものもあります（例えば、特許文献３参照）。
【０００５】
しかしながら、前述の場合にはボルトの締め込み具合によって固定力が異なるため、十分な固定力で取り付けられない場合もあります。また、十分な固定力がない状態であっても十分な固定力がある状態であっても、判別しにくいという欠点がありました。
また、後者の場合には、レバーの回動範囲が大きいためレバーの長さが短くなり大きな操作力が必要となることやレバーの自由端側に衣類または布団などが引っ掛かりやすく、意図しない状況で固定状態が解除されてしまう恐れがありました。
【先行技術文献】
【特許文献】
【０００６】
【特許文献１】特開２００３−５２７６３号公報
【特許文献２】特開２０００−３３０２５号公報
【特許文献３】特開平１１−２３５２５３号公報
【発明の概要】
【発明が解決しようとする課題】
【０００７】
解決しようとする問題点は、サイドレールなどベッドの付属品において軽い操作力で十分な固定力を発生させることができるとともに、ロック状態とロック解除の状態が判別しやすい固定機構を提供することを目的としています。
【課題を解決するための手段】
【０００８】
請求項１に記載の発明は、ベッドの付属品取付穴に装着して用いる付属品の固定機構において、基部パイプの下面に固定脚とロック脚を設けるに、前記固定脚は基部パイプに固着する一方、前記ロック脚は基部パイプに止着した支持部材にロック脚の中間部を軸着するとともに、該軸着部の固定脚側上方にほぼＬ字状のレバー部材を回動自在に軸着して該レバー部材の上方回動により前記ロック脚の上部を押圧し該ロック脚の下部が固定脚側に回動する構成とし、さらに前記固定脚のロック脚側上部には空孔部を設け、前記レバー部材の端部にスプリングを介装して挿通した解除ツマミの突部が枢支されるよう構成するとともに、前記レバー部材の上下回動を案内するようにほぼＵ字状のカバー部材を前記固定脚に固着して構成したことを特徴としています。
請求項２に記載の発明は、上記ロック脚を付属品取付穴よりわずかに小さい小径軸部と先細のテーパー部を一体的に設けて構成したことを特徴としています。
【発明の効果】
【０００９】
請求項１の発明は、ベッドの付属品取付穴に挿通される固定脚とロック脚の間にレバー部材を回動自在に設け、このレバー部材の上方回動により前記ロック脚が固定脚側に回動され、固定されるように構成されています。また、レバー部材の自由端部側が固定脚に固着したカバー部材に案内されるとともに上部に設けた空孔部に解除ツマミの突部が枢支されてロック状態が保持されるように構成されています。したがって、固定脚とロック脚の間隔に近い長さのレバー部材とすることができるので、てこ比を大きくすることができ、軽い操作力で固定できる固定機構とすることができます。また、カバー部材によってレバー部材の端部が覆われているので、衣類や布団などを引っ掛けてロックを解除してしまう不測の事故などを防止する効果もあります。また、ロック脚側も支持部材で覆うことができるように構成しているので、同様の効果があります。そして、この固定機構は固定する際にはレバー部材を上方回動させるだけで自動的にロックされ、解除するときには解除ツマミをスプリングに抗してロック脚側にスライドさせ下方回動させれば良く、操作が簡単であるとともに、固定する人が替わっても固定力が一定であるので安全に使用できます。
さらに、レバー部材の傾きによってロック状態であるかロック解除状態であるか判別も容易にできるという効果もあります。
請求項２の発明は、前後に回動されるロック脚を小径軸部と先細のテーパー部を一体的に構成することにより、ロック脚の回動によって付属品取付穴との接触部が小径軸部とテーパー部の境界部分となり、ロック脚の回動中心により近い部分となっております。したがって、テーパー部による装着が簡単であるという効果だけでなく、少ない回動量で確実なロック力を発生させることができるものと成っております。
【図面の簡単な説明】
【００１０】
【図１】本発明の固定機構を備えたサイドレールを示す全体正面図
【図２】固定機構を示す要部断面図
【図３】固定機構のロック状態を示す要部断面図
【図４】固定機構のロック脚に設けたテーパー部の作用を示す説明図
【図５】固定機構の構成を示す説明図
【実施例１】
【００１１】
続いて、ベッドＢのサイドフレームＦに設けられた付属品取付穴Ｈ，Ｈ，・・・を使用して固定するベッドＢの付属品の固定機構１について、介助グリップＳを一つの実施形態として、図面に基づき以下に説明します。
【００１２】
この固定機構１は、介助グリップＳの枠部を構成する基部パイプ２の下面側に固着された固定脚３を備えています。この固定脚３は、大径軸部３ａと小径軸部３ｂからなる段付支軸で、前記大径軸部３ａの上部にはロック孔３ｃが穿設されています。なお、前記大径軸部３ａは付属品取付穴Ｈよりも大径とし、前記小径軸部３ｂは付属品取付穴Ｈよりもわずかに小径としています。また、このロック孔３ｃを囲むようにカバー部材４が固定脚３に固着されています。このカバー部材４はＵ字状に構成されたプレートです。
【００１３】
そして、前記基部パイプ２の下面かつ前記固定脚３から離間した位置に、支持部材５を止着しています。この支持部材５はコ字状に曲折したプレートであり、開口部が下方向きとなる状態で取り付けられています。この支持部材５にはロック脚６が回動自在となるように支承されています。詳述すると、図４に示すようにロック脚６は大径軸部６ａと小径軸部６ｂとからなる段付き支軸で、上端部にはナット部材６ｃが固着されるとともに、前記小径軸部６ｂの先端側は先細りのテーパー部６ｄとされています。なお、前記大径軸部６ａと小径軸部６ｂは、上記固定脚３と同様に、大径軸部６ａは付属品取付穴Ｈよりも大径とし、前記小径軸部６ｂは付属品取付穴Ｈよりもわずかに小径としています。
さらに、前記大径軸部６ａの中間部には空孔部６ｅが穿設されています。このように構成されたロック脚６は、前記支持部材５に設けた空孔部５ａ，５ａと前記空孔部６ｅに支持軸７を挿通し、該支持軸７の内部に螺設した雌ネジ部７ａに両端からボルト部材８，８を螺着することによって、前記ロック脚６が回動自在な状態で取り付けられています。
【００１４】
また、前記ナット部材６ｃにはネジ部材９が螺着されるとともに、一方側からロックナット１０を螺着して、該ネジ部材９を固定しています。なお、このネジ部材９の突出量によって、固定機構１のロック力を調節できるように構成しています。
【００１５】
次に、前記ロック脚６を回動させるレバー部材１１について説明します。
このレバー部材１１は、一方側に空孔部１２ａが設けられた押圧片１２の他端側にロックレバー１３を固着してなるものです。該レバー部材１１は前記空孔部１２ａと上記支持部材５に設けた空孔部５ｂ，５ｂに支持軸７を挿通し、該支持軸７の内部に螺接した雌ネジ部７ａに両端からボルト部材８，８を螺着することによって、当該レバー部材１１が回動自在な状態で取り付けられています。
なお、この状態で上記ロック脚６の上部に取り付けたネジ部材９の先端にレバー部材１１の押圧片１２の上部が接触するよう配置されています。
【００１６】
さらに、前記レバー部材１１の先端側にはスプリング１４を介装して解除ツマミ１５が取り付けられています。詳述すると、この解除ツマミ１５には、つば部１５ａと突部１５ｂが設けられており、内部には前記ロックレバー１３の先端が挿通される空孔部１５ｃが設けられています。この空孔部１５ｃ内にはスプリング１４を介装してロックレバー１３の端部に挿通されます。そして、解除ツマミ１５の突部１５ｂ側がカバー部材４内に位置するように取り付けられています。
上記のように構成されたレバー部材１１は、カバー部材４内で上下に回動され、上方回動した時にはスプリング１４の付勢力によって自動的に解除ツマミ１５の突部１５ｂが上記固定脚３の空孔部３ｃに嵌り、この状態が保持されるようになっています。また、解除ツマミ１５をスプリング１４の付勢力に抗してレバー部材１１の基端側にスライドさせると、下方回動自在な状態となります。
このようにレバー部材１１の自由端側は、カバー部材４内で移動するよう構成しているので、衣類や布団などが引っ掛かる恐れがないものとなっています。
【００１７】
上述のように構成された固定機構１は、次のように作用します。
まず、ベッドＢの付属品取付穴Ｈ，Ｈに固定脚３及びロック脚６を挿通します。このとき、ロック脚６の先端側が先細りのテーパー部６ｄとなっているので、位置合わせが行いやすいという効果があります。
この状態では、固定機構１はロックされておらず付属品（介助グリップＳ）ががたつく状態でベッドＢに装着されています。このとき、ロックレバー１３が斜め向きとなっており、ロックされていない状態であることが判別できるようになっています。
この状態から、ロックレバー１３を上方に引き上げると、押圧片１２がロック脚６を回動させ、ロック脚６の下方部の小径軸部６ｂとテーパー部６ｄの境界部分が付属品取付穴Ｈの内面に接触します。（図４参照）。
さらに、ロックレバー１３を引き上げ、解除ツマミ１５に設けた突部１５ｂがスプリング１４の付勢力によって自動的に固定脚３の空孔部３ｃに挿通されると、固定機構１がロック状態で保持される構成です。このとき、ロックレバー１３はほぼ水平状態となっており、前述したようにロックレバー１３の傾きによってロックの状態とロック解除の状態が判別しやすいものとなっています。
【００１８】
このように、固定機構１はレバー部材１１の回動操作によって、ロック脚６を回動させることによって固定脚３とロック脚６の間隔を狭め、それぞれが付属品取付穴Ｈ，Ｈに圧接され、強固に保持するよう構成したものです。
さらに、レバー部材１１を固定脚３とロック脚６との間隔に合わせて設けることができるので、てこ比を大きくしてロック脚６を回動させるよう構成することができます。すなわち、軽い操作力で強固な固定ができるという効果があります。
さらに、ロック脚６の下方部にテーパー部６ｄを設けることによって、付属品取付穴Ｈに挿通しやすいだけでなく、付属品取付穴Ｈとの接触部分が小径軸部６ｂとテーパー部６ｄの境界部分となり、ロック脚６の回動中心に近付けた構成となっています。そのため、少ない回動量であっても大きなロック力を発生させることができるものとなっています。
また、このように構成された固定機構１は、ロックレバーの操作部分と解除ツマミのつば部だけを外部に露出しておけばよいので、概観も良いものとすることができます。
【００１９】
なお、本実施例では図１に示す介助グリップ１を一つの実施例としておりますが、基部パイプ上に支柱を立設して、この支柱にテーブルを具備してなるベッドサイドテーブルであったり、サイドレールなどに設けることも可能です。
すなわち、ベッドのサイドフレームに設けられた付属品取付穴を用いて装着するベッドの付属品であれば、本実施例に限定するものではなく、どのようなものであっても良い。
【符号の説明】
【００２０】
１    固定機構
２    基部パイプ
３    固定脚
４    カバー部材
５    支持部材
６    ロック脚
１１  レバー部材
１２  押圧片
１３  ロックレバー
１４  スプリング
１５  解除ツマミ
Ｂ    ベッド
Ｈ    付属品取付穴
【図１】
2010201030.tif 000003
【図２】
2010201030.tif 000004
【図３】
2010201030.tif 000005
【図４】
2010201030.tif 000006
【図５】
2010201030.tif 000007